【手続補正書】
【提出日】平成17年3月22日(2005.3.22)
【手続補正１】
【補正対象書類名】明細書
【補正対象項目名】全文
【補正方法】変更
【補正の内容】
【書類名】      明細書
【発明の名称】  ＡＭ復調回路
【特許請求の範囲】
【請求項１】  ＡＭ変調信号とＡＭ検波基準信号とからＡＭ検波信号を出力するＡＭ検波器と、
前記ＡＭ変調信号とＡＰＣ検波基準信号とから通常極性のＡＰＣ検波信号を生成する第１のＡＰＣ検波回路と、
前記ＡＭ変調信号とＡＰＣ検波基準信号とから前記第１のＡＰＣ検波回路が生成する通常極性のＡＰＣ検波信号と反転極性のＡＰＣ検波信号を生成する第２のＡＰＣ検波回路と、
前記通常極性または反転極性のＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＭ変調信号が無変調のときの検波出力の信号電位である無信号電位と前記ＡＭ検波信号の出力とを比較する電圧比較器と、
出力端子に前記ＡＰＣフィルタが、入力端子の一方に前記第１のＡＰＣ検波回路が、入力端子の他方に前記第２のＡＰＣ検波回路がそれぞれ接続されたスイッチと、
前記電圧比較器の出力とＰＬＬループのＬＯＣＫ検出信号との論理積信号によって、通常変調時には前記スイッチの一方の入力端子を選択し、過変調時には前記スイッチの他方の入力端子を選択するよう前記スイッチを制御するスイッチ制御回路と、
を備えることを特徴とするＡＭ復調回路。
【請求項２】  ＡＭ変調信号とＡＭ検波基準信号とからＡＭ検波信号を出力するＡＭ検波器と、
前記ＡＭ変調信号とＡＰＣ検波基準信号とから通常極性のＡＰＣ検波信号を生成する第１のＡＰＣ検波回路と、
前記ＡＭ変調信号とＡＰＣ検波基準信号とから前記第１のＡＰＣ検波回路が生成する通常極性のＡＰＣ検波信号と同じ極性を有する通常極性のＡＰＣ検波信号を生成する第２のＡＰＣ検波回路と、
前記通常極性のＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記第２のＡＰＣ検波回路へ入力するＡＭ変調信号の極性を反転する反転回路と、
前記ＡＭ変調信号が無変調のときの検波出力の信号電位である無信号電位と前記ＡＭ検波信号の出力とを比較する電圧比較器と、
出力端子に前記ＡＰＣフィルタが、入力端子の一方に前記第１のＡＰＣ検波回路が、入力端子の他方に前記第２のＡＰＣ検波回路がそれぞれ接続されるスイッチと、
前記電圧比較器の出力とＰＬＬループのＬＯＣＫ検出信号との論理積信号によって、通常変調時には前記スイッチの一方の入力端子を選択し、過変調時には前記スイッチの他方の入力端子を選択するよう前記スイッチを制御するスイッチ制御回路と、
を備えることを特徴とするＡＭ復調回路。
【請求項３】  ＡＭ変調信号とＡＭ検波基準信号とからＡＭ検波信号を出力するＡＭ検波器と、
前記ＡＭ変調信号とＡＰＣ検波基準信号とからＡＰＣ検波信号を出力するＡＰＣ検波回路と、
前記ＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＰＣ検波回路へ入力する前記ＡＭ変調信号の極性を反転する反転回路と、
前記ＡＭ変調信号が無変調のときの検波出力の信号電位である無信号電位と前記ＡＭ検波信号の出力とを比較する電圧比較器と、
出力端子にＡＰＣ検波回路が、入力端子の一方に前記ＡＭ変調信号の出力端が、入力端子の他方に前記反転回路がそれぞれ接続されたスイッチと、
前記電圧比較器の出力とＰＬＬループのＬＯＣＫ検出信号との論理積信号によって、通常変調時には前記スイッチの一方の入力端子を選択し、過変調時には前記スイッチの他方の入力端子を選択するよう前記スイッチを制御するスイッチ制御回路と、
を備えることを特徴とするＡＭ復調回路。
【請求項４】  ＡＭ変調信号とＡＭ検波基準信号とからＡＭ検波信号を出力するＡＭ検波器と、
前記ＡＭ変調信号とＡＰＣ検波基準信号とから通常極性のＡＰＣ検波信号を生成する第１のＡＰＣ検波回路と、
前記ＡＭ変調信号とＡＰＣ検波基準信号とから前記第１のＡＰＣ検波回路が生成する通常極性のＡＰＣ検波信号と同じ極性を有する通常極性のＡＰＣ検波信号を生成する第２のＡＰＣ検波回路と、
前記ＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＭ変調信号が無変調のときの検波出力の信号電位である無信号電位と前記ＡＭ検波信号の出力とを比較する電圧比較器と、
出力端子に前記ＡＭ検波器が、入力端子の一方に前記第１の位相器が、入力端子の他方に前記第２の位相器が、それぞれ接続された第１のスイッチと、
出力端子に前記ＡＰＣフィルタが、入力端子の一方に前記第１のＡＰＣ検波回路が、入力端子の他方に前記第２のＡＰＣ検波回路が、それぞれ接続された第２のスイッチと、
前記第１のスイッチと第２のスイッチに接続された入力端子を同時に切り換えるための前記電圧比較器の出力とＰＬＬループのＬＯＣＫ検出信号との論理積信号によって、通常変調時には前記第１のスイッチの一方の入力端子および前記第２のスイッチの一方の入力端子を選択し、過変調時には前記第１のスイッチの他方の入力端子および前記第２のスイッチの他方の入力端子を選択するよう前記スイッチを制御するスイッチ制御回路と、
を備えることを特徴とするＡＭ復調回路。
【請求項５】  ＡＭ変調信号とＡＭ検波基準信号とからＡＭ検波信号を出力するＡＭ検波器と、
前記ＡＭ変調信号とＡＰＣ検波基準信号とからＡＰＣ検波信号を出力するＡＰＣ検波回路と、
前記ＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＭ変調信号が無変調のときの検波出力の信号電位である無信号電位と前記ＡＭ検波信号の出力とを比較する電圧比較器と、
入力端子に前記第１の位相器が、出力端子の一方に前記ＡＭ検波器が、出力端子の他方に前記ＡＰＣ検波回路が、それぞれ接続された第１のスイッチと、
入力端子に前記第２の位相器が、出力端子の一方に前記ＡＰＣ検波回路が、出力端子の他方に前記ＡＭ検波器が、それぞれ接続された第２のスイッチと、
前記第１のスイッチと第２のスイッチに接続された出力端子を同時に切り換えるための前記電圧比較器の出力とＰＬＬループのＬＯＣＫ検出信号との論理積信号によって、通常変調時には前記第１のスイッチの一方の入力端子および前記第２のスイッチの一方の入力端子を選択し、過変調時には前記第１のスイッチの他方の入力端子および前記第２のスイッチの他方の入力端子を選択するよう前記スイッチを制御するスイッチ制御回路と、
を備えることを特徴とするＡＭ復調回路。
【請求項６】  ＡＭ変調信号とＡＭ検波基準信号とからＡＭ検波信号を出力するＡＭ検波器と、
前記ＡＭ変調信号とＡＰＣ検波基準信号とからＡＰＣ検波信号を出力するＡＰＣ検波回路と、
前記ＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＰＣ検波回路へ入力する前記第２の位相器の出力信号の極性を反転する反転回路と、
前記ＡＭ変調信号が無変調のときの検波出力の信号電位である無信号電位と前記ＡＭ検波信号の出力とを比較する電圧比較器と、
出力端子にＡＰＣ検波回路が、入力端子の一方に前記第２の位相器が、入力端子の他方に前記反転回路の出力端がそれぞれ接続されたスイッチと、
前記電圧比較器の出力とＰＬＬループのＬＯＣＫ検出信号との論理積信号によって、通常変調時には一方の入力端子を選択し、過変調時には他方の入力端子を選択するよう前記スイッチを制御するスイッチ制御回路を備えることを特徴とするＡＭ復調回路。
【請求項７】  ＡＭ変調信号とＡＭ検波基準信号とからＡＭ検波信号を出力するＡＭ検波器と、
前記ＡＭ変調信号とＡＰＣ検波基準信号とからＡＰＣ検波信号を出力するＡＰＣ検波回路と、
前記ＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＭ検波器へ入力する前記第１の位相器の出力信号の極性を反転する反転回路と、
前記ＡＭ変調信号が無変調のときの検波出力の信号電位である無信号電位と前記ＡＭ検波信号の出力とを比較する電圧比較器と、
出力端子に前記ＡＭ検波器が、入力端子の一方に前記第１の位相器が、入力端子の他方に前記反転回路の出力端がそれぞれ接続されるスイッチと、
前記電圧比較器の出力とＰＬＬループのＬＯＣＫ検出信号との論理積信号によって、通常変調時には一方の入力端子を選択し、過変調時には他方の入力端子を選択するよう前記スイッチを制御するスイッチ制御回路と、
を備えること特徴とするＡＭ復調回路。
【請求項８】  ＡＭ変調信号とＡＭ検波基準信号とからＡＭ検波信号を出力するＡＭ検波器と、
前記ＡＭ変調信号とＡＰＣ検波基準信号とからＡＰＣ検波信号を出力するＡＰＣ検波回路と、
前記ＡＰＣ検波信号を平滑化して制御電圧を生成するＡＰＣフィルタと、
前記ＡＰＣフィルタによって出力される制御電圧によって制御される周波数の信号を発振し、その発振信号を出力するＶＣＯと、
前記ＶＣＯの出力信号から前記ＡＭ検波基準信号を出力する第１の位相器と、
前記ＶＣＯの出力信号から前記ＡＰＣ検波基準信号を出力する第２の位相器と、
前記ＡＭ検波器へ入力する前記ＡＭ変調信号の極性を反転する反転回路と、
前記ＡＭ変調信号が無変調のときの検波出力の信号電位である無信号電位と前記ＡＭ検波信号の出力とを比較する電圧比較器と、
出力端子に前記ＡＭ検波器が、入力端子の一方に前記ＡＭ変調信号の出力端が、入力端子の他方に前記反転回路の出力端がそれぞれ接続されるスイッチと、
前記電圧比較器の出力とＰＬＬループのＬＯＣＫ検出信号との論理積信号によって、通常変調時には一方の入力端子を選択し、過変調時には他方の入力端子を選択するよう前記スイッチを制御するスイッチ制御回路と、
を備えることを特徴とするＡＭ復調回路。
【請求項９】  出力端子にＡＰＣ検波回路が、入力端子の一方に前記ＡＭ変調信号の出力端が、入力端子の他方に前記第１の位相回路の出力信号がそれぞれ接続された第３のスイッチをさらに備え、
前記ＡＭ検波器と前記第３のスイッチとの間に接続された電圧制御器が、前記ＡＭ検波器の出力電位をＶin、ある二つの基準電位をＶC1、ＶC2、前記ＡＭ変調信号が無変調のときの検波出力の信号電位である無信号電位をＶ0とするときに、
Ｖin＞Ｖ0＋ＶC1またはＶin＜Ｖ0−ＶC2
の条件を満足するときに、前記第３のスイッチに接続された一方の入力端子を、
Ｖ0−ＶC2＜Ｖin＜Ｖ0＋ＶC1の条件を満足するときに、前記第３のスイッチに接続された他方の入力端子を選択することを特徴とする請求項１〜８の何れか一つに記載のＡＭ復調回路。
【発明の詳細な説明】
【０００１】
【発明の属する技術分野】
この発明は、集積回路全般におけるＰＬＬ(Phase Locked Loop)を用いたＡＭ復調回路に関するものである。
【０００２】
【従来の技術】
図１２は、従来のＰＬＬを用いたＡＭ復調回路の一例を示す構成図である。同図を用いて、このＡＭ復調回路の動作について説明する。まず、入力信号はＡＭ検波器１に入力され、ＡＭ検波器１では、この入力信号とＶＣＯ（電圧制御発振器）６の出力を位相シフト回路４により＋４５度シフトさせたＡＭ検波基準信号とを掛け算した検波波形を得るとともに、低域通過フィルタ７によって高調波成分が除去された検波出力を得る。ＶＣＯ６の発振周波数は、このＶＣＯ６、ＡＰＣ（自動位相制御）検波回路２、ＡＰＣフィルタ３および位相シフト回路によって形成されるＰＬＬ（以下「ＡＰＣループ」という。）によって決定される。このＡＰＣ検波回路２は、入力信号とＶＣＯ６の出力を位相シフト回路５により−４５度シフトされた信号とを比較して、この２つの入力が同じ周波数で、かつ、位相関係がＶＣＯ６からの入力位相が入力信号の位相よりも−９０度ずれるようにＶＣＯ６を制御する。このとき、ＡＭ検波器１に入力される信号は同じ周波数かつ同じ位相となるので、入力信号をＡＭ検波することが可能となり、所望の検波出力を得ることができる。
【０００３】
【発明が解決しようとする課題】
しかしながら、従来のＰＬＬを用いたＡＭ復調回路は、入力信号が過変調時に検波基準信号が反転するという現象が起こる。この現象が起こる原理を図１３を用いて説明する。図１３（ａ）は通常の変調の場合と過変調の場合の変調信号の波形であり、図１３（ｂ）はこの変調信号が入力されたときの理想出力波形であり、図１３（ｃ）は実際の出力波形を示す図である。なお、ＡＭ検波器１に入力される信号、すなわちＡＭ変調信号と位相シフト回路４からの入力信号は、同じ周波数で位相差が１８０度の場合を想定している。この位相差が１８０度のときは、下側包絡線が検波されるので、同図（ｂ）に示すような波形が出力される。
【０００４】
さて、図１３（ａ）において、網掛けの細かい線の部分が、過変調により位相が１８０度ずれている部分である。いま、入力信号が過変調になり位相が１８０度ずれてしまうと、ＡＰＣ検波回路２に入力される２つの信号の位相差もとの状態から１８０度ずれることになる。このとき、ＡＰＣ検波回路２は元の位相関係に戻るようにＶＣＯ６を制御するため、結果的に入力信号の搬送波とＶＣＯ６の出力を＋４５度シフトさせた信号は、所望の位相関係から１８０度ずれてしまい、同図（ｃ）に示すように、ＡＭ検波器の出力が反転することになる。
【０００５】
従来は、この信号の反転を防止するため、過変調時にＰＬＬ制御を止めるか、または、制御速度を遅くして過変調による位相変化には追従しないようにするなどの対策が取られていた。しかし、この方式だと、過変調時にＡＰＣ動作がほとんど機能しなくなるため過変調時の安定性が悪いという問題点があった。
【０００６】
この発明は、上記に鑑みてなされたものであり、過変調時にＡＰＣ動作を止めることなく、また、過変調時の出力の反転を防止したＡＭ復調回路を得ることを目的とする。
【０００７】
【課題を解決するための手段】
上記目的を達成するため、この発明にかかるＡＭ復調回路は、ＡＭ変調信号とＡＭ検波基準信号とからＡＭ検波信号を出力するＡＭ検波器と、前記ＡＭ変調信号とＡＰＣ検波基準信号とから通常極性のＡＰＣ検波信号を生成する第１のＡＰＣ検波回路と、前記ＡＭ変調信号とＡＰＣ検波基準信号とから前記第１のＡＰＣ検波回路が生成する通常極性のＡＰＣ検波信号と反転極性のＡＰＣ検波信号を生成する第２のＡＰＣ検波回路と、前記通常極性または反転極性のＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＭ変調信号が無変調のときの検波出力の信号電位である無信号電位と前記ＡＭ検波信号の出力とを比較する電圧比較器と、出力端子に前記ＡＰＣフィルタが、入力端子の一方に前記第１のＡＰＣ検波回路が、入力端子の他方に前記第２のＡＰＣ検波回路がそれぞれ接続されたスイッチと、前記電圧比較器の出力とＰＬＬループのＬＯＣＫ検出信号との論理積信号によって、通常変調時には前記スイッチの一方の入力端子を選択し、過変調時には前記スイッチの他方の入力端子を選択するよう前記スイッチを制御するスイッチ制御回路と、を備えることを特徴とする。
【０００８】
この発明によれば、ＡＭ検波器が、ＡＭ変調信号とＡＭ検波基準信号とからＡＭ検波信号を出力し、第１のＡＰＣ検波回路が、ＡＭ変調信号とＡＰＣ検波基準信号とから通常極性のＡＰＣ検波信号を生成し、第２のＡＰＣ検波回路が、ＡＭ変調信号とＡＰＣ検波基準信号とから前記第１のＡＰＣ検波回路が生成する通常極性のＡＰＣ検波信号と反転極性のＡＰＣ検波信号を生成し、ＡＰＣフィルタが、通常極性または反転極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号からＡＰＣ検波基準信号を出力し、電圧比較器が、ＡＭ変調信号が無変調のときの検波出力の信号電位である無信号電位とＡＭ検波信号の出力とを比較し、スイッチの出力端子に前記ＡＰＣフィルタが接続され、スイッチの入力端子の一方に第１のＡＰＣ検波回路が接続され、スイッチの入力端子の他方に第２のＡＰＣ検波回路が接続され、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御する。
【０００９】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とから通常極性のＡＰＣ検波信号を生成する第１のＡＰＣ検波回路と、前記ＡＭ変調信号とＡＰＣ検波基準信号とから前記第１のＡＰＣ検波回路が生成する通常極性のＡＰＣ検波信号と同じ極性を有する通常極性のＡＰＣ検波信号を生成する第２のＡＰＣ検波回路と前記通常極性のＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記第２のＡＰＣ検波回路へ入力するＡＭ変調信号の極性を反転する反転回路と、前記ＡＭ変調信号が無変調のときの検波出力の信号電位である無信号電位と前記ＡＭ検波信号の出力とを比較する電圧比較器と、出力端子に前記ＡＰＣフィルタが、入力端子の一方に前記第１のＡＰＣ検波回路が、入力端子の他方に前記第２のＡＰＣ検波回路がそれぞれ接続されるスイッチと、前記電圧比較器の出力とＰＬＬループのＬＯＣＫ検出信号との論理積信号によって、通常変調時には前記スイッチの一方の入力端子を選択し、過変調時には前記スイッチの他方の入力端子を選択するよう前記スイッチを制御するスイッチ制御回路と、を備えることを特徴とする。
【００１０】
この発明によれば、ＡＭ検波器が、ＡＭ変調信号とＡＭ検波基準信号とからＡＭ検波信号を出力し、第１のＡＰＣ検波回路が、ＡＭ変調信号とＡＰＣ検波基準信号とから通常極性のＡＰＣ検波信号を生成し、第２のＡＰＣ検波回路が、ＡＭ変調信号とＡＰＣ検波基準信号とから前記第１のＡＰＣ検波回路が生成する通常極性のＡＰＣ検波信号と同じ極性を有するＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、反転回路が、第２のＡＰＣ検波回路へ入力するＡＭ変調信号の極性を反転し、電圧比較器が、ＡＭ変調信号が無変調のときの検波出力の信号電位である無信号電位とＡＭ検波信号の出力とを比較し、スイッチの出力端子にＡＰＣフィルタが接続され、スイッチの入力端子の一方に第１のＡＰＣ検波回路が接続され、スイッチの入力端子の他方に第２のＡＰＣ検波回路が接続され、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御する。
【００１１】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とからＡＰＣ検波信号を出力するＡＰＣ検波回路と、前記ＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＰＣ検波回路へ入力する前記ＡＭ変調信号の極性を反転する反転回路と、前記ＡＭ変調信号が無変調のときの検波出力の信号電位である無信号電位と前記ＡＭ検波信号の出力とを比較する電圧比較器と、出力端子にＡＰＣ検波回路が、入力端子の一方に前記ＡＭ変調信号の出力端が、入力端子の他方に前記反転回路の出力端がそれぞれ接続されたスイッチと、前記電圧比較器の出力とＰＬＬループのＬＯＣＫ検出信号との論理積信号によって、通常変調時には前記スイッチの一方の入力端子を選択し、過変調時には前記スイッチの他方の入力端子を選択するよう前記スイッチを制御するスイッチ制御回路と、を備えることを特徴とする。
【００１２】
この発明によれば、ＡＭ検波器が、ＡＭ変調信号とＡＭ検波基準信号とからＡＭ検波信号を出力し、ＡＰＣ検波回路が、ＡＭ変調信号とＡＰＣ検波基準信号とからＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、反転回路が、ＡＰＣ検波回路へ入力するＡＭ変調信号の極性を反転し、電圧比較器が、ＡＭ変調信号が無変調のときの検波出力の信号電位である無信号電位とＡＭ検波信号の出力とを比較し、スイッチの出力端子にＡＰＣ検波回路が接続され、スイッチの入力端子の一方にＡＭ変調信号の出力端が接続され、スイッチの入力端子の他方に反転回路が接続され、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御する。
【００１３】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とから通常極性のＡＰＣ検波信号を生成する第１のＡＰＣ検波回路と、前記ＡＭ変調信号とＡＰＣ検波基準信号とから前記第１のＡＰＣ検波回路が生成する通常極性のＡＰＣ検波信号と同じ極性を有する通常極性のＡＰＣ検波信号を生成する第２のＡＰＣ検波回路と、前記ＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＭ変調信号が無変調のときの検波出力の信号電位である無信号電位と前記ＡＭ検波信号の出力とを比較する電圧比較器と、出力端子に前記ＡＭ検波器が、入力端子の一方に前記第１の位相器が、入力端子の他方に前記第２の位相器が、それぞれ接続された第１のスイッチと、出力端子に前記ＡＰＣフィルタが、入力端子の一方に前記第１のＡＰＣ検波回路が、入力端子の他方に前記第２のＡＰＣ検波回路が、それぞれ接続された第２のスイッチと、前記第１のスイッチと第２のスイッチに接続された入力端子を同時に切り換えるための前記電圧比較器の出力とＰＬＬループのＬＯＣＫ検出信号との論理積信号によって、通常変調時には前記第１のスイッチの一方の入力端子および前記第２のスイッチの一方の入力端子を選択し、過変調時には前記第１のスイッチの他方の入力端子および前記第２のスイッチの他方の入力端子を選択するよう前記スイッチを制御するスイッチ制御回路とを備えることを特徴とする。
【００１４】
この発明によれば、ＡＭ検波器が、ＡＭ変調信号とＡＭ検波基準信号とからＡＭ検波信号を出力し、第１のＡＰＣ検波回路が、ＡＭ変調信号とＡＰＣ検波基準信号とから通常極性のＡＰＣ検波信号を生成し、第２のＡＰＣ検波回路が、ＡＭ変調信号とＡＰＣ検波基準信号とから前記第１のＡＰＣ検波回路が生成する通常極性のＡＰＣ検波信号と同じ極性を有するＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、電圧比較器が、ＡＭ変調信号が無変調のときの検波出力の信号電位である無信号電位とＡＭ検波信号の出力とを比較し、第１のスイッチの出力端子にＡＭ検波器が接続され、第１のスイッチの入力端子の一方に第１の位相器が接続され、第１のスイッチの入力端子の他方に第２の位相器が接続され、第２のスイッチの出力端子にＡＰＣフィルタが接続され、第２のスイッチの入力端子の一方に第１のＡＰＣ検波回路が接続され、第２のスイッチの入力端子の他方に第２のＡＰＣ検波回路が接続され、スイッチ制御回路が、電圧比較器の出力とＰＬＬループのＬＯＣＫ検出信号との論理積信号によって、通常変調時には第１のスイッチおよび第２のスイッチの一方の入力端子を選択し、過変調時には第１のスイッチおよび第２のスイッチの他方の入力端子を選択するように第１のスイッチおよび第２のスイッチを制御する。
【００１５】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とからＡＰＣ検波信号を出力するＡＰＣ検波回路と、前記ＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＭ変調信号が無変調のときの検波出力の信号電位である無信号電位と前記ＡＭ検波信号の出力とを比較する電圧比較器と、入力端子に前記第１の位相器が、出力端子の一方に前記ＡＭ検波器が、出力端子の他方に前記ＡＰＣ検波回路が、それぞれ接続された第１のスイッチと、入力端子に前記第２の位相器が、出力端子の一方に前記ＡＰＣ検波回路が、出力端子の他方に前記ＡＭ検波器が、それぞれ接続された第２のスイッチと、前記第１のスイッチと第２のスイッチに接続された出力端子を同時に切り換えるための前記電圧比較器の出力とＰＬＬループのＬＯＣＫ検出信号との論理積信号によって、通常変調時には前記第１のスイッチの一方の入力端子および前記第２のスイッチの一方の入力端子を選択し、過変調時には前記第１のスイッチの他方の入力端子および前記第２のスイッチの他方の入力端子を選択するよう前記スイッチを制御するスイッチ制御回路とを備えることを特徴とする。
【００１６】
この発明によれば、ＡＭ検波器が、ＡＭ変調信号とＡＭ検波基準信号とからＡＭ検波信号を出力し、ＡＰＣ検波回路が、ＡＭ変調信号とＡＰＣ検波基準信号とから通常ＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、電圧比較器が、ＡＭ変調信号が無変調のときの検波出力の信号電位である無信号電位とＡＭ検波信号の出力とを比較し、第１のスイッチの入力端子に第１の位相器が接続され、第１のスイッチの出力端子の一方にＡＭ検波器が接続され、第１のスイッチの出力端子の他方にＡＰＣ検波回路が接続され、第２のスイッチの入力端子に第２の位相器が接続され、第２のスイッチの出力端子の一方にＡＰＣ検波回路が接続され、第２のスイッチの出力端子の他方にＡＭ検波器が接続され、スイッチ制御回路が、電圧比較器の出力とＰＬＬループのＬＯＣＫ検出信号との論理積信号によって、通常変調時には第１のスイッチおよび第２のスイッチの一方の入力端子を選択し、過変調時には第１のスイッチおよび第２のスイッチの他方の入力端子を選択するように第１のスイッチおよび第２のスイッチを制御する。
【００１７】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とからＡＰＣ検波信号を出力するＡＰＣ検波回路と、前記ＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＰＣ検波回路へ入力する前記第２の位相器の出力信号の極性を反転する反転回路と、前記ＡＭ変調信号が無変調のときの検波出力の信号電位である無信号電位と前記ＡＭ検波信号の出力とを比較する電圧比較器と、出力端子にＡＰＣ検波回路が、入力端子の一方に前記第２の位相器が、入力端子の他方に前記反転回路の出力端がそれぞれ接続されたスイッチと、前記電圧比較器の出力とＰＬＬループのＬＯＣＫ検出信号との論理積信号によって、通常変調時には一方の入力端子を選択し、過変調時には他方の入力端子を選択するよう前記スイッチを制御するスイッチ制御回路と、を備えることを特徴とする。
【００１８】
この発明によれば、ＡＭ検波器が、ＡＭ変調信号とＡＭ検波基準信号とからＡＭ検波信号を出力し、ＡＰＣ検波回路が、ＡＭ変調信号とＡＰＣ検波基準信号とからＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、反転回路が、ＡＰＣ検波回路へ入力する第２の位相器の出力信号の極性を反転し、電圧比較器が、ＡＭ変調信号が無変調のときの検波出力の信号電位である無信号電位とＡＭ検波信号の出力とを比較し、スイッチの出力端子にＡＰＣ検波回路が接続され、スイッチの入力端子の一方に第２の位相器が接続され、スイッチの入力端子の他方に反転回路の出力端が接続され、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御する。
【００１９】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とからＡＰＣ検波信号を出力するＡＰＣ検波回路と、前記ＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＭ検波器へ入力する前記第１の位相器の出力信号の極性を反転する反転回路と、前記ＡＭ変調信号が無変調のときの検波出力の信号電位である無信号電位と前記ＡＭ検波信号の出力とを比較する電圧比較器と、出力端子に前記ＡＭ検波器が、入力端子の一方に前記第１の位相器が、入力端子の他方に前記反転回路の出力端がそれぞれ接続されるスイッチと、前記電圧比較器の出力とＰＬＬループのＬＯＣＫ検出信号との論理積信号によって、通常変調時には一方の入力端子を選択し、過変調時には他方の入力端子を選択するよう前記スイッチを制御するスイッチ制御回路と、を備えることを特徴とする。
【００２０】
この発明によれば、ＡＭ検波器が、ＡＭ変調信号とＡＭ検波基準信号とからＡＭ検波信号を出力し、ＡＰＣ検波回路が、ＡＭ変調信号とＡＰＣ検波基準信号とからＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、反転回路が、ＡＭ検波器へ入力する第１の位相器の出力信号の極性を反転し、電圧比較器が、ＡＭ変調信号が無変調のときの検波出力の信号電位である無信号電位とＡＭ検波信号の出力とを比較し、スイッチの出力端子にＡＭ検波器が接続され、スイッチの入力端子の一方に第１の位相器が接続され、スイッチの入力端子の他方に反転回路の出力端が接続され、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御する。
【００２１】
つぎの発明にかかるＡＭ復調回路は、上記の発明において、ＡＭ変調信号とＡＭ検波基準信号とからＡＭ検波信号を出力するＡＭ検波器と、前記ＡＭ変調信号とＡＰＣ検波基準信号とからＡＰＣ検波信号を出力するＡＰＣ検波回路と、前記ＡＰＣ検波信号を平滑化して制御電圧を生成するＡＰＣフィルタと、前記ＡＰＣフィルタによって出力される制御電圧によって制御される周波数の信号を発振し、その発振信号を出力するＶＣＯと、前記ＶＣＯの出力信号から前記ＡＭ検波基準信号を出力する第１の位相器と、前記ＶＣＯの出力信号から前記ＡＰＣ検波基準信号を出力する第２の位相器と、前記ＡＭ検波器へ入力する前記ＡＭ変調信号の極性を反転する反転回路と、前記ＡＭ変調信号が無変調のときの検波出力の信号電位である無信号電位と前記ＡＭ検波信号の出力とを比較する電圧比較器と、出力端子に前記ＡＭ検波器が、入力端子の一方に前記ＡＭ変調信号の出力端が、入力端子の他方に前記反転回路の出力端がそれぞれ接続されるスイッチと、前記電圧比較器の出力とＰＬＬループのＬＯＣＫ検出信号との論理積信号によって、通常変調時には一方の入力端子を選択し、過変調時には他方の入力端子を選択するよう前記スイッチを制御するスイッチ制御回路と、を備えることを特徴とする。
【００２２】
この発明によれば、ＡＭ検波器が、ＡＭ変調信号とＡＭ検波基準信号とからＡＭ検波信号を出力し、ＡＰＣ検波回路が、ＡＭ変調信号とＡＰＣ検波基準信号とからＡＰＣ検波信号を生成し、ＡＰＣフィルタが、通常極性のＡＰＣ検波信号を平滑化して制御電圧を生成し、ＶＣＯが、ＡＰＣフィルタによって出力される制御電圧によって制御される周波数の信号を発振し、その発振信号を出力し、第１の位相器が、ＶＣＯの出力信号からＡＭ検波基準信号を出力し、第２の位相器が、ＶＣＯの出力信号から前記ＡＰＣ検波基準信号を出力し、反転回路が、ＡＭ検波器へ入力するＡＭ変調信号の極性を反転し、電圧比較器が、ＡＭ変調信号が無変調のときの検波出力の信号電位である無信号電位とＡＭ検波信号の出力とを比較し、スイッチの出力端子にＡＭ検波器が接続され、スイッチの入力端子の一方にＡＭ変調信号の出力端が接続され、スイッチの入力端子の他方に反転回路の出力端が接続され、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御する。
【００２３】
つぎの発明にかかるＡＭ復調回路は、上記の発明において、出力端子にＡＰＣ検波回路が、入力端子の一方に前記ＡＭ変調信号の出力端が、入力端子の他方に前記第１の位相回路の出力信号がそれぞれ接続された第３のスイッチをさらに備え、前記ＡＭ検波器と前記第３のスイッチとの間に接続され、前記ＡＭ検波器の出力電位をＶin、ある二つの基準電位をＶC1、ＶC2、前記ＡＭ変調信号が無変調のときの検波出力の信号電位である無信号電位をＶ0とするときに、Ｖin＞Ｖ0＋ＶC1またはＶin＜Ｖ0−ＶC2の条件を満足するときに、前記第３のスイッチに接続された一方の入力端子を、Ｖ0−ＶC2＜Ｖin＜Ｖ0＋ＶC1の条件を満足するときには、前記第３のスイッチに接続された他方の入力端子を選択することを特徴とする。
【００２４】
この発明によれば、第３のスイッチの出力端子にＡＰＣ検波回路が、第３のスイッチの入力端子の一方にＡＭ変調信号の出力端が、第３のスイッチの入力端子の他方に第２の位相回路の出力信号がそれぞれ接続され、ＡＭ検波器と第３のスイッチとの間に接続された電圧制御器が、ＡＭ検波器の出力電位をＶin、ある二つの基準電位をＶC1、ＶC2、ＡＭ変調信号が無変調のときの検波出力の信号電位である無信号電位をＶ0とするときに、Ｖin＞Ｖ0＋ＶC1またはＶin＜Ｖ0−ＶC2の条件を満足するときには、第３のスイッチに接続された一方の入力端子を、Ｖ0−ＶC2＜Ｖin＜Ｖ0＋ＶC1の条件を満足するときには、第３のスイッチに接続された他方の入力端子を選択する。
【００２５】
【発明の実施の形態】
以下に添付図面を参照して、この発明にかかるＡＭ復調回路の好適な実施の形態を詳細に説明する。
【００２６】
実施の形態１．
図１は、この発明の実施の形態１であるＡＭ復調回路の構成を示すブロック図である。同図に示すＡＭ復調回路は、図１２に示す従来のＡＭ復調回路と比較して、ＡＭ変調信号が無変調のときの検波出力の信号電位である無信号電位とＡＭ検波出力とを比較する電圧比較器１０と、この電圧比較器１０とＬＯＣＫ検出信号との論理積をとる論理積回路１１とからなるスイッチ制御回路９と、この論理積回路１１の出力によりＡＰＣ検波回路２とＡＰＣ検波回路８との出力を切り換えるスイッチ１２とを備えているところが、大きく相違する。また、通常の極性のＡＰＣ検波回路２と極性を反転させた反転極性のＡＰＣ検波回路８とを備えている。その他の構成は、従来のＡＭ復調回路と同じであり、同一構成部分には同一符号を付している。
【００２７】
つぎに、図１のＡＭ復調回路の動作について説明する。まず、入力信号がＡＭ検波器１とＡＰＣ検波回路２またはＡＰＣ検波回路８に入力され、ＡＭ検波器１では、この入力信号とＶＣＯ６の出力を位相シフト回路４により＋４５度シフトさせた信号とを掛け算し、低域通過フィルタ７によって高調波成分を除去した後、検波波形を出力する。なお、ＶＣＯ６の出力発振周波数は、ＡＰＣ検波回路２とＡＰＣフィルタ３によって制御される。つぎに、このＡＰＣ検波回路２は、入力信号とＶＣＯ６の出力を位相シフト回路５により−４５度シフトさせた信号とを比較して、この２つの入力が同じ周波数で、かつ、ＶＣＯ６からの入力位相が入力信号の位相よりも−９０度ずれるようにＶＣＯ６を制御する。一方、スイッチ１２は、ＡＭ検波出力と無信号電位を電圧比較器により比較した結果とＬＯＣＫ検出結果との論理積とによって、ＡＰＣ検波回路２またはＡＰＣ検波回路８の出力を切り換える。この切り換えによって、通常変調時にはＡＰＣ検波回路２によって通常の極性のＡＰＣ検波がおこなわれ、過変調時にはＡＰＣ検波回路８によって極性の反転したＡＰＣ検波がおこなわれる。このとき、ＡＰＣループは、過変調時に入力位相が反転したとしても、そのときにはＡＰＣ検波の極性も入れ替わっているためそのままロックを続ける。このようにして、ＡＭ検波器１に入力される信号は同じ周波数で、かつ同じ位相を保持することができる。
【００２８】
通常のＡＰＣ検波器の極性がＡＭ検波器に入る２つの入力が１８０度の差を持つようにＡＰＣループがかかっているとすると、検波出力は１００％以下の時には無信号電位の下側に現れることになる。これを示したのが図２である。図２（ａ）は入力信号がＡＭ変調信号のときの波形の一例を示す図であり、（ｂ）は検波出力が上側に現れる場合（位相差０度）の検波出力の波形を示す図であり、（ｃ）は検波出力が下側に現れる場合（位相差１８０度）の検波出力の波形を示す図である。また、ＬＯＣＫ検出はＡＰＣループがロックしていることと、検波出力が正常の向きに出力されているかを検出するものであるとする。いま、ＡＰＣループが正常にロックしているものとして考えると、入力信号が過変調になると検波出力は無信号電位を越えて電圧比較器１０の出力がＨｉｇｈになる。一方、正常のロック状態であるのでＬＯＣＫ検出もＨｉｇｈである。つまり、論理積回路１１の出力はＨｉｇｈとなる。これによってスイッチ１２は極性が反対のＡＰＣ検波回路８側に切り換わり、ＡＭ検波器の２入力の位相差が０度になるようにＡＰＣループがかかる。また、過変調時には入力の位相が１８０度反転しているため、切り換わりの前後では入力信号とＶＣＯとの位相関係が変化しない。つまり、検波出力が反転することはない。
【００２９】
以上のように、この実施の形態１によれば、スイッチの出力端子に前記ＡＰＣフィルタを接続し、スイッチの入力端子の一方に第１のＡＰＣ検波回路を接続し、スイッチの入力端子の他方に第２のＡＰＣ検波回路をそれぞれ接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００３０】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００３１】
実施の形態２．
図３は、この発明の実施の形態２であるＡＭ復調回路の構成を示すブロック図である。同図に示すＡＭ復調回路は、スイッチ１２に接続されるＡＰＣ検波回路８に、反転した入力信号を入力するための反転回路１３を備えており、また、その他の構成は、図１に示した実施の形態１と同じであり、同一構成部分には同一符号を付している。なお、スイッチ１２の制御を実現する構成は図１と同様であり、図３には図示していない。
【００３２】
この実施の形態２の特徴は、図１に示した極性反転のＡＰＣ検波回路に反転回路１３を用いたところにある。このとき、ＡＰＣ検波回路２のＡＰＣループは、ＡＭ検波器の２入力の位相差が１８０度になるように働き、ＡＰＣ検波回路８のＡＰＣループは位相差が０度になるように働く。したがって、切り換わり前後で検波出力が反転することはない。
【００３３】
以上のように、この実施の形態２によれば、スイッチの出力端子にＡＰＣフィルタを接続し、スイッチの入力端子の一方に第１のＡＰＣ検波回路を接続し、スイッチの入力端子の他方に第２のＡＰＣ検波回路をそれぞれ接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００３４】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００３５】
実施の形態３．
図４は、この発明の実施の形態３であるＡＭ復調回路の構成を示すブロック図である。図３に示すＡＭ復調回路では、ＡＰＣ検波回路を２つ用いたが、図４に示すＡＭ復調回路は、入力とＡＰＣ検波回路の間にスイッチ１２と反転回路１３を用いることにより、ＡＰＣ検波回路１つで実施の形態２と同様の回路を実現したものである。なお、スイッチ１２の制御を実現する構成は図１と同様であり、図４には図示していない。また、その他の構成は、図１に示した実施の形態１と同じであり、同一構成部分には同一符号を付している。
【００３６】
この実施の形態３の特徴は、図３において同時に動作することのないＡＰＣ検波回路を、通帳変調時と過変調時とで共用したところを特徴とするものであり、動作原理は実施の形態２と同じである。したがって、切り換わりの前後で検波出力が反転することはない。
【００３７】
以上のように、この実施の形態３によれば、スイッチの出力端子にＡＰＣ検波回路を接続し、スイッチの入力端子の一方にＡＭ変調信号の出力端を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００３８】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００３９】
実施の形態４．
図５は、この発明の実施の形態４であるＡＭ復調回路の構成を示すブロック図である。同図に示すＡＭ復調回路は、図４に示すＡＭ復調回路と比較して、位相シフト回路４または５の出力を、(1)ＡＰＣ検波回路２または８に振り分けている、(2)ＡＭ検波器への出力をスイッチ１２で切り換えている、ところが相違する。なお、スイッチ１２およびスイッチ１４の制御を実現する構成は、図１と同様であり、図５には図示していない。また、その他の構成は、図１に示した実施の形態１と同じであり、同一構成部分には同一符号を付している。
【００４０】
ＡＰＣループが切り換わる動作は次のとおりである。スイッチ１２およびスイッチ１４の出力信号Ａが、Ａ＝Ｌのとき、ＡＭ検波器１に入る信号はＶＣＯ６の出力を＋４５度位相シフト回路４に通したものが入力され、ＡＰＣ検波回路２にはＶＣＯ６の出力を−４５度位相シフト回路５に通したものが用いられる。つまり、図１２に示す従来の回路と同じ動作をする。一方、出力端子Ａが、Ａ＝Ｈのときは、ＶＣＯ６よりＡＭ検波器１に入る信号はＶＣＯ６の出力を−４５度位相シフト回路５に通したものが入力され、ＡＰＣ検波回路８にはＶＣＯ６の出力を＋４５度位相シフト回路４に通したものが用いられる。この結果、出力信号Ａが、ＨからＬになったときＶＣＯ６よりＡＭ検波器１に入力される信号から見たＡＰＣフィルタ３に入力される信号の位相差は−９０度から＋９０度に切り替わる。つまり、ＡＰＣループの極性は反転することになる。したがって、切り換わりの前後で検波出力が反転することはない。
【００４１】
以上のように、この実施の形態４によれば、第１のスイッチの出力端子にＡＭ検波器を接続し、第１のスイッチの入力端子の一方に第１の位相器を接続し、第１のスイッチの入力端子の他方に第２の位相器を接続し、第２のスイッチの出力端子にＡＰＣフィルタを接続し、第２のスイッチの入力端子の一方に第１のＡＰＣ検波回路を接続し、第２のスイッチの入力端子の他方に第２のＡＰＣ検波回路を接続し、スイッチ制御回路が、電圧比較器の出力とＰＬＬループのＬＯＣＫ検出信号との論理積信号によって、通常変調時には第１のスイッチおよび第２のスイッチの一方の入力端子を選択し、過変調時には第１のスイッチおよび第２のスイッチの他方の入力端子を選択するように第１のスイッチおよび第２のスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００４２】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００４３】
実施の形態５．
図６は、この発明の実施の形態５であるＡＭ復調回路の構成を示すブロック図である。図５に示す実施の形態４が、ＡＰＣ検波の出力をスイッチ１４で切り換えているのに対し、このＡＭ復調回路は、ＶＣＯ６からＡＰＣ検波回路２に入力される信号をスイッチ１２およびスイッチ１４で切り換えているところが相違する。このようにすればＡＰＣ検波回路一つで実現できる。なお、スイッチ１２およびスイッチ１４の制御を実現する構成は、図１と同様であり、図６には図示していない。また、その他の構成は、図１に示した実施の形態１と同じであり、同一構成部分には同一符号を付している。
【００４４】
この実施の形態５の特徴は、図５において、スイッチ１２およびスイッチ１４の入出力を逆に、すなわち入力切り換えから出力切り換えの機能とすることにより、ＡＰＣ検波回路を通帳変調時と過変調時とで共用したところにある。したがって、実施の形態４と同様に、切り換わりの前後で検波出力が反転することはない。
【００４５】
以上のように、この実施の形態５によれば、第１のスイッチの入力端子に第１の位相器を接続し、第１のスイッチの出力端子の一方にＡＭ検波器を接続し、第１のスイッチの出力端子の他方にＡＰＣ検波回路を接続し、第２のスイッチの入力端子に第２の位相器を接続し、第２のスイッチの出力端子の一方にＡＰＣ検波回路を接続し、第２のスイッチの出力端子の他方にＡＭ検波器を接続し、スイッチ制御回路が、電圧比較器の出力とＰＬＬループのＬＯＣＫ検出信号との論理積信号によって、通常変調時には第１のスイッチおよび第２のスイッチの一方の入力端子を選択し、過変調時には第１のスイッチおよび第２のスイッチの他方の入力端子を選択するように第１のスイッチおよび第２のスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００４６】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００４７】
実施の形態６．
図７は、この発明の実施の形態６であるＡＭ復調回路の構成を示すブロック図である。この実施の形態６は、図４に示す実施の形態３において、ＡＰＣ検波回路２へ入力する反転入力を、入力信号からではなく、位相シフト回路５の出力からとしている。なお、スイッチ１２の制御を実現する構成は、図１に示す実施の形態１と同様であり、図６には図示していない。また、その他の構成は、図１に示した実施の形態１と同じであり、同一構成部分には同一符号を付している。
【００４８】
この実施の形態６の特徴は、ＶＣＯ６からＡＰＣ検波回路２に入力される信号を反転するか否かによって切り換えているところにある。反転するということは、位相が１８０度回ることであるから、スイッチ１２の出力信号ＡがＨからＬになったときＶＣＯ６よりＡＭ検波器に入力される信号から見たＡＰＣ検波回路２に入力される信号の位相差は−９０度から＋９０度に切り換わる。つまり、ＡＰＣループの極性は反転することになる。したがって、切り換わりの前後で検波出力が反転することはない。
【００４９】
以上のように、この実施の形態６によれば、スイッチの出力端子にＡＰＣ検波回路を接続し、スイッチの入力端子の一方に第２の位相器を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００５０】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００５１】
実施の形態７．
図８は、この発明の実施の形態７であるＡＭ復調回路の構成を示すブロック図である。図７に示す実施の形態６では、反転信号の入出力を位相シフト回路５からＡＰＣ検波回路２としているのに対し、この実施の形態７では、反転信号の入出力を位相シフト回路４からＡＭ検波器１としている。なお、スイッチ１２の制御を実現する構成は、図１に示す実施の形態１と同様であり、図６には図示していない。また、その他の構成は、図１に示した実施の形態１と同じであり、同一構成部分には同一符号を付している。
【００５２】
この実施の形態７の特徴は、ＰＬＬループがロックするときはＡＭ検波器１へ入力される入力信号とスイッチ１２の出力が同相となることから、これに合うようにＶＣＯ６の出力位相が調整され、このＶＣＯ６の出力が位相シフト回路４と位相シフト回路５とに分配されることから、図７に示す実施の形態６と同様の動作がおこなわれる。したがって、実施の形態６と同様に、切り換わりの前後で検波出力が反転することはない。
【００５３】
以上のように、この実施の形態７によれば、スイッチの出力端子にＡＭ検波器を接続し、スイッチの入力端子の一方に第１の位相器を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００５４】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００５５】
実施の形態８．
図９は、この発明の実施の形態８であるＡＭ復調回路の構成を示すブロック図である。この実施の形態８は、図８に示す実施の形態７において、ＡＭ検波器１へ入力する反転信号を位相シフト回路４からではなく、入力信号からとしている。なお、スイッチ１２の制御を実現する構成は、図１に示す実施の形態１と同様であり、図９には図示していない。また、その他の構成は、図１に示した実施の形態１と同じであり、同一構成部分には同一符号を付している。
【００５６】
この実施の形態８の特徴は、ＡＭ検波器に入る入力信号そのものを反転させるか否かで切り換えているため、入力信号が過変調になり反転すると、ＡＭ検波器への入力信号も反転するのでＡＭ検波器に入る信号の位相は変わらない。ただし、ＡＰＣ検波回路に入力される信号は、反転しない入力信号であるため、過変調により反転してしまうが、ＡＰＣループがこの位相変化に追従するため、ＡＭ検波器に入力される２入力の位相差が、１８０度から０度に切り換えられる。したがって、結果的に、切り換わりの前後で検波出力が反転することはない。
【００５７】
以上のように、この実施の形態８によれば、スイッチの出力端子にＡＭ検波器を接続し、スイッチの入力端子の一方にＡＭ変調信号の出力端を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができる。
【００５８】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００５９】
実施の形態９．
図１０は、図３のＡＰＣ検波回路２と電圧比較器１０とスイッチ１２と反転回路１３を実現した回路である。この回路の動作は、つぎのとおりである。まず、電圧比較器１０で検波出力と無信号電位を比較して、検波出力が無信号電位より低いときは通常入力部の回路電流が大きくなり、逆に検波出力が無信号電位より高いときは反転入力の回路電流が大きくなる。この通常入力部の電流と反転入力部の電流がＡＰＣ検波回路２内で加えられており、電流の大きい方が優勢になり、ＡＰＣループがかかる。つまり、通常変調時は通常入力部側が優勢になり、過変調時には反転入力部側が優勢になる。このようにするとＡＰＣの切り換えが連続的に変化するため、安定な切り換えをおこなうことができる。また、電圧比較器１０の利得を調整することによって切り換えを急峻にしたり緩やかにしたりすることができるため、入力信号に合った切り換え速度を設定できる。
【００６０】
以上のように、この実施の形態９によれば、通常変調時には通常の極性のＡＰＣ検波を行い、過変調時には極性の反転したＡＰＣ検波をおこなうこととしたので、ＡＰＣ動作を止めることなく、過変調時の出力の反転を生じさせないＡＭ復調回路を実現することができ、さらに切り換えノイズの影響のない回路を実現できる。
【００６１】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００６２】
実施の形態１０．
上述した実施の形態１〜９は、入力信号の変調度が１００％に近くなると、検波信号の振幅が小さいため、それに伴いＡＰＣ検波回路への入力信号が小さくなってしまう。一般的なＡＰＣ検波回路では、入力信号が小さいと静位相誤差が大きくなり、正確な位相関係を保つことができなくなる。この静位相誤差により、ＡＰＣループの極性切り換えがうまくおこなわれない可能性がある。これを防止するための回路を図１１に示す。図１１は、この発明の実施の形態１０であるＡＭ復調回路の構成を示すブロック図であり、検波信号の出力が小さいときに入力信号の代わりにＶＣＯ６の出力を＋４５度シフトさせた信号をＡＰＣ検波回路に入力させた回路である。ＡＰＣ検波回路は、一般的に入力の２信号の位相差は９０度であるため、入力信号が小さいときに、±４５度シフトさせた信号をＡＰＣ検波回路に入力することで、９０度差の信号を入力することになり、現状のＡＰＣループを維持することができる。入力信号はＡＭ変調信号であるから位相は変化しないので、ループが正常にロックした後はその位相関係を保てば良いので、上記のようにＶＣＯの出力に９０度差を付けて入力してあげれば良い。したがって、入力信号の振幅が小さいところで静位相誤差が大きくなり位相関係がずれてしまう部分では上記の手法を行うことにより特性が改善できる。
【００６３】
図１１には、ＡＰＣ検波回路への入力信号を電圧比較器によって切り換える部分を示している。このように入力信号の振幅が小さい場合、すなわち、検波出力が無信号電位付近に来るときは入力信号の代わりにＶＣＯの出力を用いることにより、上述した静位相誤差特性を改善できる。いま、ＡＭ検波器の出力電位をＶin、ある二つの基準電位をＶC1、ＶC2、前記ＡＭ変調信号が無変調のときの検波出力の信号電位である無信号電位をＶ0とすると、
Ｖin＞Ｖ0＋ＶC1またはＶin＜Ｖ0−ＶC2
の条件を満足するときにはＡＭ変調信号を選択し、
Ｖ0−ＶC2＜Ｖin＜Ｖ0＋ＶC1
の条件を満足するときには、位相シフト回路４を通じたＶＣＯ６の出力を選択すればよい。なお、ＶC1、ＶC2、はＡＰＣの静位相誤差特性によって決定することができる。また、この実施の形態１０は、実施の形態１〜９の回路に適用できる。
【００６４】
以上のように、この実施の形態１０によれば、第３のスイッチの出力端子にＡＰＣ検波回路を接続し、第３のスイッチの入力端子の一方にＡＭ変調信号の入力端を接続し、第３のスイッチの入力端子の他方に第２の位相回路の出力信号を接続し、ＡＭ検波器と第３のスイッチとの間に接続された電圧制御器が、ＡＭ検波器の出力電位をＶin、ある二つの基準電位をＶC1、ＶC2、ＡＭ変調信号が無変調のときの検波出力の信号電位である無信号電位をＶ0とするときに、Ｖin＞Ｖ0＋ＶC1またはＶin＜Ｖ0−ＶC2の条件を満足するときには、第３のスイッチに接続された一方の入力端子を、Ｖ0−ＶC2＜Ｖin＜Ｖ0＋ＶC1の条件を満足するときには、第３のスイッチに接続された他方の入力端子を選択することとしたので、入力信号が小さい時の特性の改善およびそれに伴うＡＰＣ切り換え時の特性が改善できる。
【００６５】
上述した実施の形態は、検波出力が無信号電位の下側に現れる場合、つまりＡＭ検波器の２入力の位相差が１８０度となる場合について説明したが、検波出力が上側に現れる場合、すなわちＡＭ検波器に入力される２信号の位相差が０度の場合についても同様な構成ができ同様な効果が得られることはいうまでもない。
【００６６】
【発明の効果】
以上説明したように、この発明によれば、スイッチの出力端子に前記ＡＰＣフィルタを接続し、スイッチの入力端子の一方に第１のＡＰＣ検波回路を接続し、スイッチの入力端子の他方に第２のＡＰＣ検波回路をそれぞれ接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００６７】
つぎの発明によれば、スイッチの出力端子にＡＰＣフィルタを接続し、スイッチの入力端子の一方に第１のＡＰＣ検波回路を接続し、スイッチの入力端子の他方に第２のＡＰＣ検波回路をそれぞれ接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００６８】
つぎの発明によれば、スイッチの出力端子にＡＰＣ検波回路を接続し、スイッチの入力端子の一方にＡＭ変調信号の出力端を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００６９】
つぎの発明によれば、第１のスイッチの出力端子にＡＭ検波器を接続し、第１のスイッチの入力端子の一方に第１の位相器を接続し、第１のスイッチの入力端子の他方に第２の位相器を接続し、第２のスイッチの出力端子にＡＰＣフィルタを接続し、第２のスイッチの入力端子の一方に第１のＡＰＣ検波回路を接続し、第２のスイッチの入力端子の他方に第２のＡＰＣ検波回路を接続し、スイッチ制御回路が、電圧比較器の出力とＰＬＬループのＬＯＣＫ検出信号との論理積信号によって、通常変調時には第１のスイッチおよび第２のスイッチの一方の入力端子を選択し、過変調時には第１のスイッチおよび第２のスイッチの他方の入力端子を選択するように第１のスイッチおよび第２のスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００７０】
つぎの発明によれば、第１のスイッチの入力端子に第１の位相器を接続し、第１のスイッチの出力端子の一方にＡＭ検波器を接続し、第１のスイッチの出力端子の他方にＡＰＣ検波回路を接続し、第２のスイッチの入力端子に第２の位相器を接続し、第２のスイッチの出力端子の一方にＡＰＣ検波回路を接続し、第２のスイッチの出力端子の他方にＡＭ検波器を接続し、スイッチ制御回路が、電圧比較器の出力とＰＬＬループのＬＯＣＫ検出信号との論理積信号によって、通常変調時には第１のスイッチおよび第２のスイッチの一方の入力端子を選択し、過変調時には第１のスイッチおよび第２のスイッチの他方の入力端子を選択するように第１のスイッチおよび第２のスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００７１】
つぎの発明によれば、スイッチの出力端子にＡＰＣ検波回路を接続し、スイッチの入力端子の一方に第２の位相器を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００７２】
つぎの発明によれば、スイッチの出力端子にＡＭ検波器を接続し、スイッチの入力端子の一方に第１の位相器を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００７３】
つぎの発明によれば、スイッチの出力端子にＡＭ検波器を接続し、スイッチの入力端子の一方にＡＭ変調信号の出力端を接続し、スイッチの入力端子の他方に反転回路を接続し、スイッチ制御回路が、電圧比較器の出力とＰＬＬループのＬＯＣＫ検出信号との論理積信号によって、通常変調時にはスイッチの一方の入力端子を選択し、過変調時にはスイッチの他方の入力端子を選択するようにスイッチを制御することとしたので、通常変調時には通常の極性のＡＰＣ検波をおこない、過変調時には極性の反転したＡＰＣ検波をおこなうこととしたので、ＡＰＣ動作を止めることなく、過変調時の出力の反転を生じさせないＡＭ復調回路を実現することができるという効果を奏する。
【００７４】
つぎの発明によれば、第３のスイッチの出力端子にＡＰＣ検波回路を接続し、第３のスイッチの入力端子の一方にＡＭ変調信号の入力端を接続し、第３のスイッチの入力端子の他方に第２の位相回路の出力信号を接続し、ＡＭ検波器と第３のスイッチとの間に接続された電圧制御器が、ＡＭ検波器の出力電位をＶin、ある二つの基準電位をＶC1、ＶC2、ＡＭ変調信号が無変調のときの検波出力の信号電位である無信号電位をＶ0とするときに、Ｖin＞Ｖ0＋ＶC1またはＶin＜Ｖ0−ＶC2の条件を満足するときには、第３のスイッチに接続された一方の入力端子を、Ｖ0−ＶC2＜Ｖin＜Ｖ0＋ＶC1の条件を満足するときには、第３のスイッチに接続された他方の入力端子を選択することとしたので、入力信号が小さい時の特性の改善およびそれに伴うＡＰＣ切り換え時の特性が改善できるという効果を奏する。
【図面の簡単な説明】
【図１】  この発明の実施の形態１であるＡＭ復調回路の構成を示すブロック図である。
【図２】  図２（ａ）は入力信号がＡＭ変調信号のときの波形の一例を示す図であり、（ｂ）は検波出力が上側に現れる場合（位相差０度）の検波出力の波形を示す図であり、（ｃ）は検波出力が下側に現れる場合（位相差１８０度）の検波出力の波形を示す図である。
【図３】  この発明の実施の形態２であるＡＭ復調回路の構成を示すブロック図である。
【図４】  この発明の実施の形態３であるＡＭ復調回路の構成を示すブロック図である。
【図５】  この発明の実施の形態４であるＡＭ復調回路の構成を示すブロック図である。
【図６】  この発明の実施の形態５であるＡＭ復調回路の構成を示すブロック図である。
【図７】  この発明の実施の形態６であるＡＭ復調回路の構成を示すブロック図である。
【図８】  この発明の実施の形態７であるＡＭ復調回路の構成を示すブロック図である。
【図９】  この発明の実施の形態８であるＡＭ復調回路の構成を示すブロック図である。
【図１０】  この発明の実施の形態９であるＡＭ復調回路の構成を示すブロック図である。
【図１１】  この発明の実施の形態１０であるＡＭ復調回路の構成を示すブロック図である。
【図１２】  従来のＰＬＬを用いたＡＭ復調回路の一例を示す構成図である。
【図１３】  （ａ）は通常の変調の場合と過変調の場合の変調信号の波形であり、（ｂ）はこの変調信号が入力されたときの理想出力波形であり、（ｃ）は実際の出力波形を示す図である。
【符号の説明】
１  ＡＭ検波器、２，８  ＡＰＣ検波回路、３  ＡＰＣフィルタ、４，５  位相器、６  ＶＣＯ、７  低域通過フィルタ、９  スイッチ制御回路、１０，１６
電圧比較器、１１  論理積回路、１２，１４，１５  スイッチ、１３  反転回路。
【手続補正２】
【補正対象書類名】図面
【補正対象項目名】図３
【補正方法】変更
【補正の内容】
【図３】
2003298353.tif 000001
【手続補正３】
【補正対象書類名】図面
【補正対象項目名】図４
【補正方法】変更
【補正の内容】
【図４】
2003298353.tif 000002
【手続補正４】
【補正対象書類名】図面
【補正対象項目名】図５
【補正方法】変更
【補正の内容】
【図５】
2003298353.tif 000003
【手続補正５】
【補正対象書類名】図面
【補正対象項目名】図６
【補正方法】変更
【補正の内容】
【図６】
2003298353.tif 000004
【手続補正６】
【補正対象書類名】図面
【補正対象項目名】図７
【補正方法】変更
【補正の内容】
【図７】
2003298353.tif 000005
【手続補正７】
【補正対象書類名】図面
【補正対象項目名】図８
【補正方法】変更
【補正の内容】
【図８】
2003298353.tif 000006
【手続補正８】
【補正対象書類名】図面
【補正対象項目名】図９
【補正方法】変更
【補正の内容】
【図９】
2003298353.tif 000007
【手続補正９】
【補正対象書類名】図面
【補正対象項目名】図１１
【補正方法】変更
【補正の内容】
【図１１】
2003298353.tif 000008